(57)【要約】    【課題】      共有チャネル（ＳｈａｒｅｄＣＨ）の干渉による共有パイロットチャネル（ＣＰＩＣＨ）の受信品質劣化を防ぐこと。    【解決手段】  基地局装置１００は、共有チャネルで送信するデータを生成するＳｈａｒｅｄＣＨ生成部１０２と、共通パイロットチャネルで送信するデータを生成するＣＰＩＣＨ生成部１０３とを備える。チャネル毎電力制御部１０５は、ＳｈａｒｅｄＣＨでデータを送信している間、ＣＰＩＣＨで送信するデータの送信電力を所定のオフセットをつけて増加させる。これによって、ＳｈａｒｅｄＣＨの干渉で通信端末装置でのＣＰＩＣＨの受信品質が劣化するのを防ぐ。  【選択図】      図１
2006319874.tif 000002
【特許請求の範囲】
【請求項１】
通信端末装置に対し通信チャネルを用いてデータの送信を行う基地局装置であって、
共有チャネルで送信されるデータを生成する共有チャネルデータ生成手段と、
共通パイロットチャネルで送信されるデータを生成する共通パイロットチャネルデータ生成手段と、
前記共有チャネルでデータが送信される間は共通パイロットチャネルの送信電力にオフセット値を付加する制御を行うチャネル毎送信電力制御手段と、
を具備する基地局装置。
【請求項２】
前記共有チャネルによる送信データの送信頻度を監視する共有チャネルユーザ監視手段を備え、
前記チャネル毎送信電力制御手段は、共有チャネルによる送信データの送信頻度が基準値を超えると、前記共通パイロットチャネルの送信電力を予め低下させる制御を行う請求項１記載の基地局装置。
【請求項３】
通信端末装置に対し通信チャネルを用いてデータの送信を行う基地局装置の制御方法であって、
共有チャネルで送信されるデータを生成する共有チャネルデータ生成ステップと、
共通パイロットチャネルで送信されるデータを生成する共通パイロットチャネルデータ生成ステップと、
前記共有チャネルでデータが送信される間は共通パイロットチャネルの送信電力にオフセット値を付加する制御を行うチャネル毎送信電力制御ステップと、
を具備する基地局装置の制御方法。
【発明の詳細な説明】
【技術分野】
【０００１】
本発明は、共有チャネルを利用する基地局装置及びその制御方法に関する。
【背景技術】
【０００２】
近時通信端末装置に対し通信サービスを行う基地局装置においては、非特許文献１に記載されている共通チャネル、例えばＳ−ＣＣＰＣＨによる通信に加えて、高速大容量な下りチャネルを複数の通信端末装置が共有（Ｓｈａｒｅｄ）し、下り回線で高速パケット伝送を行うＨＳＤＰＡ(High Speed Downlink Packet Access)が提案されている。ＨＳＤＰＡでは、ＨＳ−ＰＤＳＣＨ(High Speed-Physical Downlink Shared Channel)、ＨＳ−ＳＣＣＨ(Shared Control Channel of HS-PDSCH)等の複数の共有チャネル（Shared Channel  以下、必要に応じＳｈａｒｅｄＣＨと表記する。）が用いられる。ＨＳ−ＰＤＳＣＨは、パケットの伝送に使用される下り方向の共有チャネルである。ＨＳ−ＳＣＣＨは、下り方向の共有チャネルであり、リソース割り当てなどに関する情報が伝送される。
【０００３】
従来の基地局装置では、共通チャネルは、固定の送信電力で常に送信され、ＳｈａｒｅｄＣＨの送信電力は、基地局装置に許された最大送信電力から、共通チャネルと可変送信電力制御が行なわれる個別チャネル（以下、必要に応じてＤＰＣＨという。）の送信電力の和を引いた残りの送信電力値とされている（例えば、特許文献１参照）。
【非特許文献１】3GPP TS 25.211 V5.1.0（2002-06）: 3rd Generation Partnership Project; Technical Specification Group Radio Access Network; Physical channels and mapping of transport channels onto physical channels （FDD） （Release 5） 2002年6月 5.3.3.4 Secondary Common Control Physical Channel （S-CCPCH）
【特許文献１】特開２００４−７０３０号公報
【発明の開示】
【発明が解決しようとする課題】
【０００４】
しかしながら、現在提案されている基地局装置では、ＳｈａｒｅｄＣＨの送信によらず、共通チャネルの送信電力が固定とされているので、基地局装置の送信電力の効率的利用に限界がある。また、例えば、ＳｈａｒｅｄＣＨの干渉により共通チャネルの共通パイロットチャネル（Common Pilot Channel  以下、必要に応じ単にＣＰＩＣＨという。）の受信品質が劣化し、セルの検出率低下、ＨＯイベントの遅延、ＨＯイベントの頻発などにより、本来のコンテンツ情報を通信するため以外の制御動作のための通信が多くなり、通信効率の低下が生じる。
【０００５】
このような従来基地局装置の問題点を詳しく説明する。図６は、ＳｈａｒｅｄＣＨと、ＣＰＩＣＨの受信品質の変化の関係を表す図である。ここでは、時刻Ｔ１でＳｈａｒｅｄＣＨが送信開始され、また時刻Ｔ２でＳｈａｒｅｄＣＨの送信が終了していることを表す。時刻Ｔ１でＳｈａｒｅｄＣＨが送信開始されると、ＳｈａｒｅｄＣＨのマルチパス干渉や符号間干渉の影響によりＣＰＩＣＨの品質が劣化する。そのため、時刻Ｔ１−Ｔ２間の時間で通信端末装置がセルの検出やセルの受信品質測定を行った場合、時刻Ｔ２−Ｔ３等のＳｈａｒｅｄＣＨの送信がない場合に比べて、検出率や受信品質が悪くなる。その結果、例えば通信端末装置がセル境界近くにある場合には、該当セルを所定の通信品質で検出できないことで、通信端末装置のＨＯが増加する。ＨＯが増加するとその制御時間分だけ、データ送信自体の通信効率は低下する。
【０００６】
本発明はかかる点に鑑みてなされたものであり、ＳｈａｒｅｄＣＨを用いて通信をするにあたって、ＳｈａｒｅｄＣＨの干渉による共通パイロットチャネルの受信品質の劣化を防ぎ、通信効率の高い基地局装置およびその制御方法を提供することを目的とする。
【課題を解決するための手段】
【０００７】
かかる課題を解決するため本発明の基地局装置は、通信端末装置に対し通信チャネルを用いてデータの送信を行う基地局装置であって、共有チャネルで送信されるデータを生成する共有チャネルデータ生成手段と、共通パイロットチャネルで送信されるデータを生成する共通パイロットチャネルデータ生成手段と、前記共有チャネルでデータが送信される間は共通パイロットチャネルの送信電力にオフセット値を付加する制御を行うチャネル毎送信電力制御手段と、を具備する構成を採る。
【０００８】
また本発明の基地局装置の制御方法は、通信端末装置に対し通信チャネルを用いてデータの送信を行う基地局装置の制御方法であって、共有チャネルで送信されるデータを生成する共有チャネルデータ生成ステップと、共通パイロットチャネルで送信されるデータを生成する共通パイロットチャネルデータ生成ステップと、前記共有チャネルでデータが送信される間は共通パイロットチャネルの送信電力にオフセット値を付加する制御を行うチャネル毎送信電力制御ステップと、を具備する構成を採る。
【発明の効果】
【０００９】
本発明によれば、共有チャネル（ＳｈａｒｅｄＣＨ）による共通パイロットチャネル（ＣＰＩＣＨ）に対する干渉によって、例えばＨＯが不必要に発生するのを抑え、効率的なチャネル通信を実現することができる。
【発明を実施するための最良の形態】
【００１０】
以下、本発明の実施の形態について図面を参照して詳細に説明する。
【００１１】
（実施の形態１）
本発明に係る実施の形態１の基地局装置を図１ないし図３に基づき説明する。
【００１２】
図１は、実施の形態１に係る基地局装置のブロック図である。基地局装置１００は、制御部１０１と、ＳｈａｒｅｄＣＨ生成部１０２と、共通パイロットチャネル生成部（以下、必要に応じてＣＰＩＣＨ生成部という。）１０３と、個別チャネル生成部（以下、必要に応じてＤＰＣＨ生成部という。）１０４と、チャネル毎電力制御部１０５と、送信部１０６と、アンテナ１０７とから主に構成されている。
【００１３】
制御部１０１は、図示しない上位レイヤ装置と通信して必要な情報を収集するとともに、基地局装置１００の各部に対し制御信号を出力し、全体の制御を行う。ＳｈａｒｅｄＣＨ生成部１０２は、ＳｈａｒｅｄＣＨで送信するデータ（以下、必要に応じて「ＳｈａｒｅｄＣＨで送信するデータ」を単にＳｈａｒｅｄＣＨデータという。）を生成する。ＣＰＩＣＨ生成部１０３は、ＣＰＩＣＨで送信するデータ（以下、必要に応じ「ＣＰＩＣＨで送信するデータ」を単にＣＰＩＣＨデータという。）を生成する。ＤＰＣＨ生成部１０４は、ＤＰＣＨで送信するデータ（以下、必要に応じて「ＤＰＣＨで送信するデータ」を単にＤＰＣＨデータという。）を生成する。チャネル毎電力制御部１０５は、ＳｈａｒｅｄＣＨ生成部１０２、ＣＰＩＣＨ生成部１０３およびＤＰＣＨ生成部１０４が発生したデータの送信電力を、後に詳細に説明するように、各送信チャネル毎に制御する。送信部１０６は、ＳｈａｒｅｄＣＨ生成部１０２、ＣＰＩＣＨ生成部１０３およびＤＰＣＨ生成部１０４が生成したデータを受け、各データ毎にチャネル毎電力制御部１０５が定める送信電力を与えられた信号として合成し、高周波信号として、アンテナ１０７を介して、図示しない通信端末装置に送信する。
【００１４】
この場合、ＤＰＣＨデータの送信電力は、従来周知なように、通信端末装置の受信品質測定結果の信号ＴＰＣ信号により可変電力制御されており、ＳｈａｒｅｄＣＨデータの送信電力は、基地局装置の許された総送信電力からＤＰＣＨデータおよびＣＰＩＣＨデータを含む共通チャネルで送信するデータの送信電力を引き、さらにＣＰＩＣＨデータの送信電力に付加するためのオフセット値を引いた値を基準として設定される。
【００１５】
ここで、実施の形態１の詳細説明に先立って、実施の形態１に係るＣＰＩＣＨの送信電力変化を図２に基づき予め説明する。図２は、ＳｈａｒｅｄＣＨと、共通チャネルの中のＣＰＩＣＨの送信電力値の変化の関係を現した図である。基地局装置１００は、ＳｈａｒｅｄＣＨデータが送信開始される時刻（Ｔ４、Ｔ６）を判断し、その時刻に同期してＣＰＩＣＨの送信電力にオフセット値Ｐをつけ、送信電力値を増加させる。またＳｈａｒｅｄＣＨデータの送信終了時刻(Ｔ５、Ｔ７)を判断し、その時刻に同期してＣＰＩＣＨの送信電力にオフセットをなくして、電力値を減少させる。この場合ＳｈａｒｅｄＣＨデータは送信されないので、ＣＰＩＣＨの受信品質を確保することができる。
【００１６】
なお、オフセット値Ｐは、ＳｈａｒｅｄＣＨデータの送信があったとしても、ＣＰＩＣＨの受信品質劣化がないようにする値をつけもので、発明者が検証したところ、ＳｈａｒｅｄＣＨデータの送信電力の１／１０程度に設定するのが適当であった。勿論、このオフセット値は、通信環境条件により選定されるべきもので、１／１０程度に固定されるものではない。
【００１７】
次に基地局装置１００の詳細動作を、図３のフロー図も用いて詳細に説明する。
【００１８】
まず、ＣＰＩＣＨデータおよびＳｈａｒｅｄＣＨデータ、また必要に応じてＤＰＣＨデータがそれぞれ、ＣＰＩＣＨ生成部１０３、ＳｈａｒｅｄＣＨ生成部１０２およびＤＰＣＨ生成部１０４で生成される(Ｓ１０１)。このときＳｈａｒｅｄＣＨ生成部１０２は、チャネル毎電力制御部１０５にＳｈａｒｅｄＣＨが送信される時間（図２のＴ４からＴ５、Ｔ６からＴ７）を出力する。
【００１９】
次にチャネル毎電力制御部１０５は、ＳｈａｒｅｄＣＨデータが送信される時間かを判断し(Ｓ１０２)、送信される時間である場合は(Ｓ１０２−ＹＥＳ)、ＣＰＩＣＨの送信電力値にオフセット値Ｐを付加して、増加させる(Ｓ１０３)。このとき、オフセット値Ｐは、予め定められているものであり、基地局装置１００の制御部１０１あるいは図示しない上位レイヤ装置がチャネル毎電力制御部１０５に与える。またＳｈａｒｅｄＣＨデータの送信がされない時間の場合は(Ｓ１０２−ＮＯ)、チャネル毎電力制御部１０５は、ＣＰＩＣＨの送信電力値にオフセットは付けない。
【００２０】
次に送信部１０６は、チャネル毎電力制御部１０５で決定されたチャネル毎の送信電力値に従い各チャネルの送信電力を決めるとともに、各チャネルデータを多重化して、アンテナ１０７から送信する(Ｓ１０４)。
【００２１】
このように実施の形態１によれば、ＳｈａｒｅｄＣＨデータが送信される間はＣＰＩＣＨの送信電力値にオフセットを付加することにより、ＣＰＩＣＨの送信電力を増加させるので、ＳｈａｒｅｄＣＨの干渉によるＣＰＩＣＨの品質劣化を防ぐことができる。
【００２２】
（実施の形態２）
次に、本発明の実施の形態２に係る基地局装置について図４および図５を用いて説明する。
【００２３】
図４は、実施の形態２に係る基地局装置のブロック図である。この基地局装置２００は、図１に示した基地局装置と同様の基本的構成を有しており、図１と同一の構成要素には同一の符号を付し、その詳細説明を省略する。
【００２４】
実施の形態２に係る基地局装置２００の特徴は、ＳｈａｒｅｄＣＨを利用するユーザがどの程度いるかを監視し、ＳｈａｒｅｄＣＨの送信頻度を判断するＳｈａｒｅｄＣＨユーザ監視部２０８を有する点にある。チャネル毎電力制御部２０５は、ＳｈａｒｅｄＣＨ生成部１０２からのＳｈａｒｅｄＣＨデータの送信時間に基づく制御に加えて、ＳｈａｒｅｄＣＨユーザ監視部２０８からのＳｈａｒｅｄＣＨ送信頻度情報を受け取り、両条件に従って送信チャネル毎の送信電力制御を行う。
【００２５】
具体的にはＳｈａｒｅｄＣＨユーザ監視部２０８は、制御部１０１からの情報を受けて、ＳｈａｒｅｄＣＨを利用しているユーザ数を監視し、このユーザ数に基づきＳｈａｒｅｄＣＨの送信頻度を算定して、常時記憶する。ＳｈａｒｅｄＣＨユーザ監視部２０８は、算定したＳｈａｒｅｄＣＨの送信頻度情報を、チャネル毎電力制御部２０５に出力する。チャネル毎電力制御部２０５はこの送信頻度の高低を判断する。この送信頻度の高低を定める基準値は、基地局装置１００の送信電力容量やセルのカバーする領域形状などに基づき、基地局装置毎に、例えば上位レイヤ装置によって予め設定され、制御部１０１を介してチャネル毎電力制御部２０５が記憶する。
【００２６】
このように構成された基地局装置２００について、図５のフロー図を用いて動作を説明する。
【００２７】
まず、ＳｈａｒｅｄＣＨユーザ監視部２０８は、ＳｈａｒｅｄＣＨの送信頻度情報をチャネル毎電力制御部２０５に出力する（Ｓ２０１）。チャネル毎電力制御部２０５は受け取った送信頻度情報によって、ＳｈａｒｅｄＣＨユーザが多くなく送信頻度が基準値より高くない（Ｓ２０２−ＮＯ）と判断した場合、対応するＣＰＩＣＨの送信電力動作を行なわず、ステップＳ２０４に制御を移す。
【００２８】
一方、ＳｈａｒｅｄＣＨを利用するユーザが多く、送信頻度が所定の基準値よりも高い（Ｓ２０２−ＹＥＳ）と判断した場合、チャネル毎電力制御部２０５は、ＣＰＩＣＨの送信電力を制御する（Ｓ２０３）。
【００２９】
具体的には、ＣＰＩＣＨの送信電力の値、例えば、図２で示したオフセット値Ｐを加える前のＣＰＩＣＨの送信電力の値を、ＳｈａｒｅｄＣＨの送信頻度に応じて、全時間において予め下げるといった方法である。この構成により、ＳｈａｒｅｄＣＨユーザの増加により、ＳｈａｒｅｄＣＨ送信頻度が高くなることが想定される場合には、共通チャネル中のＣＰＩＣＨの送信電力の値を全時間において下げ、セル半径を予め小さく設定する。
【００３０】
このようにセル半径を小さくした結果、基地局装置２００の電波伝播距離が短くなることとなり、当該セルでの通信端末装置の個別チャネル（ＤＰＣＨ）の受信電力は増加する。また小さくなったセル半径の外にいる通信端末装置は、ＤＰＣＨが劣化傾向にあった当該セルから、別のＤＰＣＨの品質がよりよいセルにＨＯすることが可能となる。ＨＯがあると、結果としてセル境界付近のＤＰＣＨユーザのＤＰＣＨの品質劣化を防ぐことができる。
【００３１】
次に、基地局装置２００の制御はステップＳ２０４に移り、図３のフロー図で示した動作を基地局装置２００は行う。すなわち、チャネル毎電力制御部２０５は、実施の形態１において詳しく説明したように、ＳｈａｒｅｄＣＨデータの有無に応じて（Ｓ１０２）、ＣＰＩＣＨの送信電力にオフセット値Ｐをつける（Ｓ１０３）か否かを制御する。次に送信部１０６は、多重化されたデータをアンテナ１０７から送信する(Ｓ１０４)。
【００３２】
このように実施の形態２によれば、ＳｈａｒｅｄＣＨの送信頻度を予め算出してセル半径を設定していくので、ＳｈａｒｅｄＣＨデータが増加したときもＨＯの発生が不要に増加することはない。不要なＨＯの発生がなくなればその分再送制御等に伴う通信効率の低下も抑制され、ＳｈａｒｅｄＣＨを用いて通信を行う場合の特徴である高速・大量のデータの送信が可能であり、ＳｈａｒｅｄＣＨを用いる高速・大量データ通信を期待する通信端末装置利用者へのサービスの向上を図ることができる。
【００３３】
実施の形態２では、予めセル半径を設定するするためＣＰＩＣＨの送信電力制御することを説明したように、本発明を実施するに当たっては、ＳｈａｒｅｄＣＨの送信電力とＣＰＩＣＨの送信電力との関係は相対的に設定することが可能である。従って、本発明は、上に開示した実施の形態１、２に限定されるものではなく、すなわちＳｈａｒｅｄＣＨの送信電力やＣＰＩＣＨを含む共通チャネル等各通信チャネルの送信電力は予め固定されるものではなく、例えば上位レイヤ装置からの指令に基づき、あるいは基地局装置と通信端末装置との間の通信環境に基づき、通信チャネルの送信電力が適応的に制御されるものあってもよい。このように、ＣＰＩＣＨ、ＳｈａｒｅｄＣＨやＤＰＣＨなど各通信チャネルの送信電力が適応制御される場合であっても、本発明は採用可能である。
【産業上の利用可能性】
【００３４】
本発明は、ＳｈａｒｅｄＣＨによる送信データの送信を行う間は、ＣＰＩＣＨの送信電力を制御して増加させるので、ＳｈａｒｅｄＣＨの干渉によるＣＰＩＣＨの品質劣化を解消するという効果を有し、基地局装置における通信品質向上に有用である。特にＳｈａｒｅｄＣＨを利用する通信は高速・大量のデータ送信が前提となるので、本発明によれば、ＨＯに伴う大量データの再送などの不具合の発生も少なくなり、通信端末装置の利用者へのサービスを向上できる。
【図面の簡単な説明】
【００３５】
【図１】本発明の実施の形態１に係る基地局装置のブロック図
【図２】本発明に係るＳｈａｒｅｄＣＨ送信時のＣＰＩＣＨ送信電力変化の説明図
【図３】本発明の実施の形態１に係る基地局装置の動作説明のフロー図
【図４】本発明の実施の形態２に係る基地局装置のブロック図
【図５】本発明の実施の形態２に係る基地局装置の動作説明のフロー図
【図６】従来のＳｈａｒｅｄＣＨ送信時のＣＰＩＣＨ受信電力変化の説明図
【符号の説明】
【００３６】
１００、２００  基地局装置
１０１  制御部
１０２  ＳｈａｒｅｄＣＨ生成部
１０３  ＣＰＩＣＨ生成部
１０４  ＤＰＣＨ生成部
１０５、２０５  チャネル毎電力制御部
１０６  送信部
１０７  アンテナ
２０８  ＳｈａｒｅｄＣＨユーザ監視部
【図１】
2006319874.tif 000003
【図２】
2006319874.tif 000004
【図３】
2006319874.tif 000005
【図４】
2006319874.tif 000006
【図５】
2006319874.tif 000007
【図６】
2006319874.tif 000008